(57)【要約】【課題】  カード認証を行うシステムの従来の構成を有効利用しつつセキュリティレベルを向上させる。【解決手段】  キャッシュカード４０の磁気ストライプ４１における予備領域（口座番号等のカード情報が記録されていない領域）には、磁気層を削り取った書込不能部４１ａが形成されている。そして、ＡＴＭでは、キャッシュカード４０の磁気ストライプ４１における予備領域に記録されている情報を読み取り、情報が正常であるか否かを判定する。正常である場合には、キャッシュカード４０の磁気ストライプ４１における予備領域へ情報を書き込んだ後、予備領域に記録されている情報を読み取り、書き込みを試みた情報と読み取られた情報とが一致するか否かを判定する。そして、一致しないと判定した場合に真正なカードであると認証する。【選択図】  図２
2006285869.tif 000002
【特許請求の範囲】
【請求項１】
情報を磁気的に記録するための磁気層であって情報の書き込みを不能とする書込不能部が部分的に形成された磁気記録部を有するカードについての認証を行うカード認証システムであって、
前記カードの前記磁気記録部に記録されている情報の読み取り処理及び前記磁気記録部への情報の書き込み処理を行う磁気情報読書手段と、
前記カードの認証に用いる認証情報を記憶する記憶手段と、
前記カードの前記磁気記録部に記録されている情報の読み取り処理を前記磁気情報読書手段に行わせ、その読み取り処理により読み取られた情報が正常であるか否かを前記記憶手段に記憶されている認証情報に基づき判定する記録情報判定手段と、
前記カードの前記磁気記録部への情報の書き込み処理を前記磁気情報読書手段に行わせた後、その書き込み処理により書き込みを試みた情報の読み取り処理を前記磁気情報読書手段に行わせ、書き込みを試みた情報と読み取られた情報とが一致するか否かを判定する書込情報判定手段と、
前記記録情報判定手段により情報が正常であると判定され、かつ、前記書込情報判定手段により情報が一致しないと判定された場合に、前記カードが真正なものであると認証すること
を特徴とするカード認証システム。
【請求項２】
前記書込不能部は、前記磁気記録部における一部の領域である認証用領域内に部分的に形成されており、
前記記録情報判定手段は、前記カードの前記磁気記録部における前記認証用領域に記録されている情報の読み取り処理を前記磁気情報読書手段に行わせ、その読み取り処理により読み取られた情報が正常であるか否かを前記記憶手段に記憶されている認証情報に基づき判定し、
前記書込情報判定手段は、前記カードの前記磁気記録部における前記認証用領域への情報の書き込み処理を前記磁気情報読書手段に行わせた後、前記認証用領域に記録されている情報の読み取り処理を前記磁気情報読書手段に行わせ、書き込みを試みた情報と読み取られた情報とが一致するか否かを判定すること
を特徴とする請求項１に記載のカード認証システム。
【請求項３】
前記磁気記録部の磁気層は、帯状に形成されており、
前記書込不能部は、前記磁気記録部の長手方向と直交する１又は複数の帯状に形成されていること
を特徴とする請求項１又は請求項２に記載のカード認証システム。
【請求項４】
前記書込不能部は、バーコードを形成していること
を特徴とする請求項３に記載のカード認証システム。
【請求項５】
前記カードは、キャッシュカードであること
を特徴とする請求項１から請求項４のいずれか１項に記載のカード認証システム。
【請求項６】
前記書込不能部は、前記磁気記録部において前記磁気層が除去された状態の部分であること
を特徴とする請求項１から請求項５のいずれか１項に記載のカード認証システム。
【請求項７】
前記書込不能部は、前記磁気記録部において前記磁気層に情報の書き込みを不能とする処理が施された部分であること
を特徴とする請求項１から請求項５のいずれか１項に記載のカード認証システム。
【請求項８】
前記書込不能部には、あらかじめ情報が記録されており、その情報の読み取りが可能に構成されていること
を特徴とする請求項７に記載のカード認証システム。
【請求項９】
情報を磁気的に記録するための磁気層であって情報の書き込みを不能とする書込不能部が部分的に形成された磁気記録部を有するカードについての認証を行うためのカード認証プログラムであって、
前記カードの前記磁気記録部に記録されている情報の読み取り処理及び前記磁気記録部への情報の書き込み処理を行う磁気情報読書手段と、前記カードの認証に用いる認証情報を記憶する記憶手段と、を備えたコンピュータに、
前記カードの前記磁気記録部に記録されている情報の読み取り処理を前記磁気情報読書手段に行わせ、その読み取り処理により読み取られた情報が正常であるか否かを前記記憶手段に記憶されている認証情報に基づき判定する記録情報判定手段としての機能と、
前記カードの前記磁気記録部への情報の書き込み処理を前記磁気情報読書手段に行わせた後、その書き込み処理により書き込みを試みた情報の読み取り処理を前記磁気情報読書手段に行わせ、書き込みを試みた情報と読み取られた情報とが一致するか否かを判定する書込情報判定手段としての機能と、
前記記録情報判定手段により情報が正常であると判定され、かつ、前記書込情報判定手段により情報が一致しないと判定された場合に、前記カードが真正なものであると認証する機能と、
を実現させることを特徴とするカード認証プログラム。
【請求項１０】
前記書込不能部は、前記磁気記録部における一部の領域である認証用領域内に部分的に形成されており、
前記記録情報判定手段は、前記カードの前記磁気記録部における前記認証用領域に記録されている情報の読み取り処理を前記磁気情報読書手段に行わせ、その読み取り処理により読み取られた情報が正常であるか否かを前記記憶手段に記憶されている認証情報に基づき判定し、
前記書込情報判定手段は、前記カードの前記磁気記録部における前記認証用領域への情報の書き込み処理を前記磁気情報読書手段に行わせた後、前記認証用領域に記録されている情報の読み取り処理を前記磁気情報読書手段に行わせ、書き込みを試みた情報と読み取られた情報とが一致するか否かを判定すること
を特徴とする請求項９に記載のカード認証プログラム。
【請求項１１】
情報を磁気的に記録するための磁気層であって情報の書き込みを不能とする書込不能部が部分的に形成された磁気記録部を有するカードについてのカード認証方法であって、
前記カードの前記磁気記録部に記録されている情報を読み取り、その読み取った情報が正常であるか否かをあらかじめ決められている認証情報に基づき判定する第１のステップと、
前記カードの前記磁気記録部へ情報を書き込んだ後、その書き込みを試みた情報を読み取り、書き込みを試みた情報と読み取った情報とが一致するか否かを判定する第２のステップと、
を有し、前記第１のステップで情報が正常であると判定し、かつ、前記第２のステップで情報が一致しないと判定した場合に、前記カードが真正なものであると認証すること
を特徴とするカード認証方法。
【請求項１２】
前記書込不能部は、前記磁気記録部における一部の領域である認証用領域内に部分的に形成されており、
前記第１のステップでは、前記カードの前記磁気記録部における前記認証用領域に記録されている情報を読み取り、その読み取った情報が正常であるか否かをあらかじめ決められている認証情報に基づき判定し、
前記第２のステップでは、前記カードの前記磁気記録部における前記認証用領域へ情報を書き込んだ後、その書き込みを試みた情報を読み取り、書き込みを試みた情報と読み取った情報とが一致するか否かを判定すること
を特徴とする請求項１１に記載のカード認証方法。
【請求項１３】
情報を磁気的に記録するための磁気層である磁気記録部を備えたカードにおいて、
前記磁気記録部には、情報の書き込みを不能とする書込不能部が部分的に形成されていること
を特徴とするカード。
【請求項１４】
前記書込不能部は、前記磁気記録部における一部の領域である認証用領域内に部分的に形成されていること
を特徴とする請求項１３に記載のカード。
【請求項１５】
前記磁気記録部の磁気層は、帯状に形成されており、
前記書込不能部は、前記磁気記録部の長手方向と直交する１又は複数の帯状に形成されていること
を特徴とする請求項１３又は請求項１４に記載のカード。
【請求項１６】
前記書込不能部は、バーコードを形成していること
を特徴とする請求項１３から請求項１５のいずれか１項に記載のカード。
【請求項１７】
前記カードは、キャッシュカードであること
を特徴とする請求項１３から請求項１６のいずれか１項に記載のカード。
【請求項１８】
前記書込不能部は、前記磁気記録部において前記磁気層が除去された状態の部分であること
を特徴とする請求項１３から請求項１７のいずれか１項に記載のカード。
【請求項１９】
前記書込不能部は、前記磁気記録部において前記磁気層に情報の書き込みを不能とする処理が施された部分であること
を特徴とする請求項１３から請求項１８のいずれか１項に記載のカード。
【請求項２０】
前記書込不能部には、あらかじめ情報が記録されており、その情報の読み取りが可能に構成されていること
を特徴とする請求項１９に記載のカード。
【発明の詳細な説明】
【技術分野】
【０００１】
本発明は、磁気記録部を有するカードの認証技術に関するものである。
【背景技術】
【０００２】
近年、キャッシュカードやクレジットカード等の磁気記録情報を不正に読み出す犯罪行為（いわゆるスキミング）が多発している。その手法は、磁気情報読取装置（いわゆるスキマー）を用いてカードの磁気記録部から記録情報を読み取り、その記録情報が記録された偽造カードを生成して使用するというものである。このような手法では、カードの所有者は、被害を受けたことをすぐに認識することができないため、カード自体が盗難される場合よりも被害が拡大しやすくなってしまう。
【０００３】
そこで、例えば、カードにおける磁気記録部以外の部分に磁性体を混入し、混入した磁性体を着磁することによりその磁性体から読み取られる情報（着磁状態）を、カードの固有情報として認証に用いる構成が提案されている（特許文献１参照）。
【特許文献１】特開平６−１０３４２３号公報
【発明の開示】
【発明が解決しようとする課題】
【０００４】
しかしながら、上記特許文献１に記載の構成では、カードにおける磁気記録部以外の部分を着磁する構成やその着磁状態を読み取るための構成が必要になることから、カード認証を行うシステムのハードウェア構成を従来のハードウェア構成から大きく変更する必要がある。このため、例えばキャッシュカードに適用したとすると、すべてのＡＴＭ（ａｕｔｏｍａｔｅｄ  ｔｅｌｌｅｒ  ｍａｃｈｉｎｅ：現金自動預け入れ払い機）についてこうした変更を行わなければならないこととなり、莫大な費用がかかってしまうという問題がある。
【０００５】
なお、近年では、指紋や静脈等で本人確認を行う生体認証も検討されているが、従来の認証方式と全く異なることから、上述のように莫大な費用がかかってしまう。
本発明は、こうした問題にかんがみてなされたものであり、カード認証を行うシステムの従来の構成を有効利用しつつセキュリティレベルを向上させることを目的としている。
【課題を解決するための手段】
【０００６】
上記目的を達成するためになされた本発明の請求項１に記載のカード認証システムは、情報を磁気的に記録するための磁気層であって情報の書き込みを不能とする書込不能部が部分的に形成された磁気記録部を有するカードについての認証を行うものであり、カードの磁気記録部に記録されている情報の読み取り処理及び磁気記録部への情報の書き込み処理を行う磁気情報読書手段と、カードの認証に用いる認証情報を記憶する記憶手段とを備えている。
【０００７】
そして、本カード認証システムでは、記録情報判定手段が、カードの磁気記録部に記録されている情報の読み取り処理を磁気情報読書手段に行わせ、その読み取り処理により読み取られた情報が正常であるか否かを記憶手段に記憶されている認証情報に基づき判定する。例えば、読み取られた情報が、記憶手段に記憶されている認証情報と一致する場合に、正常であると判定する。
【０００８】
また、本カード認証システムでは、書込情報判定手段が、カードの磁気記録部への情報の書き込み処理を磁気情報読書手段に行わせた後、その書き込み処理により書き込みを試みた情報の読み取り処理を磁気情報読書手段に行わせ、書き込みを試みた情報と読み取られた情報とが一致するか否かを判定する。換言すれば、磁気記録部に書込不能部が形成されているか否かの判定を行っている。すなわち、磁気記録部に書込不能部が形成されていない場合、書き込みを試みた情報と読み取られた情報とは当然に一致するが、磁気記録部に書込不能部が形成されている場合、書込不能部には情報が書き込まれないため、情報の一部が書き込まれないこととなり、書き込みを試みた情報と読み取られた情報とが一致しないという現象が生じる。このため、書き込みを試みた情報と読み取られた情報とが一致する場合には、磁気記録部に書込不能部が形成されていない可能性が高いと判定できるのである。
【０００９】
そして、本カード認証システムでは、記録情報判定手段により情報が正常であると判定され、かつ、書込情報判定手段により情報が一致しないと判定された場合に、カードが真正なものであると認証する。つまり、記録されている情報が正常であり、かつ、磁気記録部に書込不能部が形成されていれば、カードが真正なものであると認証するのである。
【００１０】
このような構成のカード認証システムによれば、従来のカード認証システムのハードウェア構成に大きな変更を加えることなく、セキュリティレベルを極めて向上させることが可能となる。すなわち、従来のカード（書込不能部が形成されていないカード）を用いたカード認証システムでは、真正なカードの磁気記録部に記録された情報を読み取り、その読み取った情報を別のカードの磁気記録部に書き込むことによって、真正なカードと同じ情報を有する偽造カードを生成して使用することが可能であった。これに対し、請求項１に記載のカード認証システムでは、上述のように、磁気記録部に書込不能部が形成されたカードを用いなければ真正なものであると認証されない。ここで、磁気記録部に書込不能部が形成されている場合、書込不能部には情報が書き込まれないことから、情報の一部が書き込まれないこととなり、書き込みを試みた情報と読み取られた情報とが一致しないという現象が生じる。このため、仮に、真正なカードの磁気記録部に記録された情報を読み取り、その読み取った情報を別のカード（書込不能部が形成されたカード）の磁気記録部に書き込んだとしても、そのカードから読み取られる情報は真正なカードから読み取られる情報とは異なるものとなる。したがって、真正なカードと同じ情報を有する偽造カードを生成することは極めて困難となる。
【００１１】
なお、真正なカードと全く同じ書込不能部を形成し、真正なカードと全く同じ状態となるように磁気記録部に情報を記録すれば、真正なカードと同じ情報を有する偽造カードを生成することが理論的には可能である。ただし、書込不能部を全く同じ形状に偽造することが困難であることに加え、磁気記録部への情報の書き込み位置（書き込み開始位置）にはずれが生じることが通常であることから、実際には非常に困難となる。すなわち、磁気記録部への情報の書き込みには何らかの装置を用いるが、装置ごとに個体差があることはもちろん、同一の装置を用いたとしてもカードを搬送するローラの摩耗状態や環境条件（温度や湿度）等によって書き込み条件が微妙に変化することから、書き込み位置を精密に一致させることは極めて困難となるのである。したがって、真正なカードと同じ情報を有する偽造カードの生成を極めて困難なものとすることができる。
【００１２】
そして、本発明の認証システムでは、磁気記録部に書込不能部が形成されたカードを対象としていることから、磁気記録部からの情報の読み取りや磁気記録部への情報の書き込みを行う構成自体は従来の構成を利用することが可能となる。
【００１３】
なお、本発明の認証システムは、１台の装置のみによって構成されるものであってもよく、また、複数台の装置によって構成されるものであってもよい。
ところで、書込不能部は、例えば請求項２に記載のように、磁気記録部における一部の領域である認証用領域内に部分的に形成される。この場合、記録情報判定手段は、カードの磁気記録部における認証用領域に記録されている情報の読み取り処理を磁気情報読書手段に行わせ、その読み取り処理により読み取られた情報が正常であるか否かを記憶手段に記憶されている認証情報に基づき判定する。また、書込情報判定手段は、カードの磁気記録部における認証用領域への情報の書き込み処理を磁気情報読書手段に行わせた後、認証用領域に記録されている情報の読み取り処理を磁気情報読書手段に行わせ、書き込みを試みた情報と読み取られた情報とが一致するか否かを判定する。
【００１４】
この構成によれば、磁気記録部における認証用領域以外の領域に、認証以外に用いる情報（本来記録すべき情報であり、例えばキャッシュカードであれば口座番号等）を記録しておくことができる。
【００１５】
また、書込不能部の形状は、例えば、請求項３に記載のように、磁気記録部の磁気層が帯状に形成されている場合（いわゆる磁気ストライプの場合）には、磁気記録部の長手方向と直交する１又は複数の帯状に形成されたものとすることが好ましい。
【００１６】
特に、請求項４に記載のように、書込不能部がバーコードを形成していれば、そのバーコードパターン自体によって（磁気による記録とは別に）情報を記録することも可能となる。
【００１７】
また、カードとしては、例えば請求項５に記載のように、キャッシュカードが挙げられる。キャッシュカードは、スキミングによる被害が多いことから、特に効果的である。
ところで、書込不能部の具体的形態としては、例えば請求項６又は請求項７のようなものが考えられる。
【００１８】
すなわち、請求項６に記載のカード認証システムでは、上記請求項１〜５のいずれかに記載のカード認証システムにおいて、書込不能部は、磁気記録部において磁気層が除去された状態の部分である。つまり、磁気層が除去された状態の部分を磁気記録部に形成するのである。この構成によれば、カードの製造時において、書込不能部があらかじめ形成されるように磁気記録部を形成する方法や、いったん磁気記録部を形成した後、その磁気層を削り取る等して書込不能部を形成する方法などにより、書込不能部を容易に形成することができる。なお、磁気層が除去された状態の部分に非磁性体を設けるようにしてもよい。
【００１９】
また、請求項７に記載のカード認証システムでは、上記請求項１〜５のいずれかに記載のカード認証システムにおいて、書込不能部は、磁気記録部において磁気層に情報の書き込みを不能とする処理（例えば、情報の書き込みを不能とする材料をコーティングする処理）が施された部分である。この構成によれば、カードの製造時において、いったん磁気記録部を形成した後、その磁気層に情報の書き込みを不能とする処理を施す方法等により、書込不能部を容易に形成することができる。
【００２０】
そして特に、請求項８に記載のように、書込不能部には、あらかじめ情報が記録されており、その情報の読み取りが可能に構成されていれば、書込不能部が形成されていない構成と同様の情報を読み取り可能とすることができる。
【００２１】
次に、請求項９に記載のカード認証プログラムは、情報を磁気的に記録するための磁気層であって情報の書き込みを不能とする書込不能部が部分的に形成された磁気記録部を有するカードについての認証を行うためのものである。そして、本カード認証プログラムは、カードの磁気記録部に記録されている情報の読み取り処理及び磁気記録部への情報の書き込み処理を行う磁気情報読書手段と、カードの認証に用いる認証情報を記憶する記憶手段と、を備えたコンピュータに、カードの磁気記録部に記録されている情報の読み取り処理を磁気情報読書手段に行わせ、その読み取り処理により読み取られた情報が正常であるか否かを記憶手段に記憶されている認証情報に基づき判定する記録情報判定手段としての機能と、カードの磁気記録部への情報の書き込み処理を磁気情報読書手段に行わせた後、その書き込み処理により書き込みを試みた情報の読み取り処理を磁気情報読書手段に行わせ、書き込みを試みた情報と読み取られた情報とが一致するか否かを判定する書込情報判定手段としての機能と、記録情報判定手段により情報が正常であると判定され、かつ、書込情報判定手段により情報が一致しないと判定された場合に、カードが真正なものであると認証する機能と、を実現させることを特徴としている。
【００２２】
このため、請求項９のカード認証プログラムによれば、磁気情報読書手段及び記憶手段を備えたコンピュータを用いて、上記請求項１に記載のカード認証システムを構築することができ、これにより上述した効果を得ることができる。なお、ここでいうコンピュータとは、１台の装置のみによって構成されるものであってもよく、また、複数台の装置によって構成されるものであってもよい。
【００２３】
また、請求項１０に記載のカード認証プログラムは、上記請求項９に記載のカード認証プログラムにおいて、書込不能部は、磁気記録部における一部の領域である認証用領域内に部分的に形成されており、記録情報判定手段は、カードの磁気記録部における認証用領域に記録されている情報の読み取り処理を磁気情報読書手段に行わせ、その読み取り処理により読み取られた情報が正常であるか否かを記憶手段に記憶されている認証情報に基づき判定し、書込情報判定手段は、カードの磁気記録部における認証用領域への情報の書き込み処理を磁気情報読書手段に行わせた後、認証用領域に記録されている情報の読み取り処理を磁気情報読書手段に行わせ、書き込みを試みた情報と読み取られた情報とが一致するか否かを判定することを特徴としている。
【００２４】
このため、請求項１０のカード認証プログラムによれば、磁気情報読書手段及び記憶手段を備えたコンピュータを用いて、上記請求項２に記載のカード認証システムを構築することができ、これにより上述した効果を得ることができる。
【００２５】
なお、上記各プログラムには、フレキシブルディスク等の磁気ディスク、光磁気ディスク、半導体製メモリなど、コンピュータ読み取り可能な記憶媒体に記憶された状態のものも含まれることは言うまでもない。
【００２６】
次に、請求項１１に記載のカード認証方法は、情報を磁気的に記録するための磁気層であって情報の書き込みを不能とする書込不能部が部分的に形成された磁気記録部を有するカードについてのカード認証方法であって、カードの磁気記録部に記録されている情報を読み取り、その読み取った情報が正常であるか否かをあらかじめ決められている認証情報に基づき判定する第１のステップと、カードの磁気記録部へ情報を書き込んだ後、その書き込みを試みた情報を読み取り、書き込みを試みた情報と読み取った情報とが一致するか否かを判定する第２のステップと、を有し、第１のステップで情報が正常であると判定し、かつ、第２のステップで情報が一致しないと判定した場合に、カードが真正なものであると認証することを特徴としている。
【００２７】
このようなカード認証方法によれば、上記請求項１のカード認証システムについて述べた効果と同様の効果を得ることができる。
また、請求項１２に記載のカード認証方法は、上記請求項１１に記載のカード認証方法において、書込不能部は、磁気記録部における一部の領域である認証用領域内に部分的に形成されており、第１のステップでは、カードの磁気記録部における認証用領域に記録されている情報を読み取り、その読み取った情報が正常であるか否かをあらかじめ決められている認証情報に基づき判定し、第２のステップでは、カードの磁気記録部における認証用領域へ情報を書き込んだ後、その書き込みを試みた情報を読み取り、書き込みを試みた情報と読み取った情報とが一致するか否かを判定することを特徴としている。
【００２８】
このようなカード認証方法によれば、上記請求項２のカード認証システムについて述べた効果と同様の効果を得ることができる。
次に、請求項１３に記載のカードは、情報を磁気的に記録するための磁気層である磁気記録部を備えたカードにおいて、磁気記録部には、情報の書き込みを不能とする書込不能部が部分的に形成されていることを特徴としている。
【００２９】
このため、請求項１３のカードによれば、上記請求項１のカード認証システムに用いることができ、これにより上述した効果を得ることができる。
また、請求項１４に記載のカードは、上記請求項１３に記載のカードにおいて、書込不能部は、磁気記録部における一部の領域である認証用領域内に部分的に形成されていることを特徴としている。
【００３０】
このため、請求項１４のカードによれば、上記請求項２のカード認証システムに用いることができ、これにより上述した効果を得ることができる。
また、請求項１５に記載のカードは、上記請求項１３又は１４に記載のカードにおいて、磁気記録部の磁気層は、帯状に形成されており、書込不能部は、磁気記録部の長手方向と直交する１又は複数の帯状に形成されていることを特徴としている。
【００３１】
このため、請求項１５のカードによれば、上記請求項３のカード認証システムに用いることができ、これにより上述した効果を得ることができる。
また、請求項１６に記載のカードは、上記請求項１３〜１５のいずれかに記載のカードにおいて、書込不能部は、バーコードを形成していることを特徴としている。
【００３２】
このため、請求項１６のカードによれば、上記請求項４のカード認証システムに用いることができ、これにより上述した効果を得ることができる。
また、請求項１７に記載のカードは、上記請求項１３〜１６のいずれかに記載のカードにおいて、カードは、キャッシュカードであることを特徴としている。
【００３３】
このため、請求項１７のカードによれば、上記請求項５のカード認証システムに用いることができ、これにより上述した効果を得ることができる。
また、請求項１８に記載のカードは、上記請求項１３〜１７のいずれかに記載のカードにおいて、書込不能部は、磁気記録部において前記磁気層が除去された状態の部分であることを特徴としている。
【００３４】
このため、請求項１８のカードによれば、上記請求項６のカード認証システムに用いることができ、これにより上述した効果を得ることができる。
また、請求項１９に記載のカードは、上記請求項１３〜１８のいずれかに記載のカードにおいて、前記書込不能部は、前記磁気記録部において前記磁気層に情報の書き込みを不能とする処理が施された部分であることを特徴としている。
【００３５】
このため、請求項１９のカードによれば、上記請求項７のカード認証システムに用いることができ、これにより上述した効果を得ることができる。
また、請求項２０に記載のカードは、上記請求項１９に記載のカードにおいて、前記書込不能部には、あらかじめ情報が記録されており、その情報の読み取りが可能に構成されていることを特徴としている。
【００３６】
このため、請求項２０のカードによれば、上記請求項８のカード認証システムに用いることができ、これにより上述した効果を得ることができる。
【発明を実施するための最良の形態】
【００３７】
以下、本発明が適用された実施形態について、図面を用いて説明する。
［１．全体構成］
図１は、実施形態のカード認証システムとしてのＡＴＭ通信システムの概略構成を表すブロック図である。
【００３８】
同図に示すように、このＡＴＭ通信システムは、カード情報記録装置１０と、ＡＴＭ２０と、ホストコンピュータ３０とを備えている。
また、本実施形態のＡＴＭ通信システムに用いられるキャッシュカード４０は、図２に示すように、従来のキャッシュカードと同様、情報を磁気的に記録するための帯状の磁気層である磁気ストライプ４１を備えているものであり、この磁気ストライプ４１における一部に、磁気層を削り取った書込不能部４１ａが形成されている点が、従来のキャッシュカードと異なっている。すなわち、従来、キャッシュカードの磁気ストライプには、口座番号等の情報（以下「カード情報」という。）が記録されているが、磁気ストライプ全域にカード情報が記録されている訳ではなく、カード情報が記録されない領域である予備領域（認証用領域に相当）が存在する。そして、本実施形態に用いられるキャッシュカード４０には、この予備領域における磁気層の一部が、磁気ストライプ４１の長手方向と直交する複数の帯状に削り取られており、これにより情報の書き込みを不能とする書込不能部４１ａが予備領域において部分的に（具体的にはバーコード状に）形成されているのである。このように書込不能部４１ａが形成されていることにより、予備領域にある情報を書き込む処理を行った場合に情報の一部が正常に書き込まれないこととなり、この結果、予備領域から読み取られる情報が書き込みを試みた情報と異なるという現象が生じる。そして、本ＡＴＭ通信システムでは、この現象を利用して、予備領域に記録されている情報に基づいたキャッシュカード４０の照合が行われる。なお、磁気ストライプ４１におけるカード情報が記録される領域は従来のキャッシュカードと同様であるため、カード情報の読み取り及び書き込みについては従来と同様に（従来のＡＴＭを用いて）行うことが可能である。
【００３９】
一方、図１に示すカード情報記録装置１０は、キャッシュカード４０を新規に発行する場合に用いられるものであり、制御部１１、操作部１２、カード処理部１３、通信部１４等を備えている。
【００４０】
制御部１１は、ＣＰＵ、ＲＯＭ、ＲＡＭ等から構成されており、本カード情報記録装置１０を統括制御する。なお、制御部１１のＲＯＭには、後述する情報書込処理（図３）のプログラムが記憶されている。
【００４１】
操作部１２は、本カード情報記録装置１０においてユーザインターフェイスとして機能するものであり、使用者からの外部操作による指令を制御部１１に入力するための入力装置（キーボード等）や、制御部１１から出力される情報を表示するための表示装置（ディスプレイ）等を有している。
【００４２】
カード処理部１３は、キャッシュカード４０に対する処理を行うためのものであり、キャッシュカード４０が挿入される挿入部や、挿入部に挿入されたキャッシュカード４０の磁気ストライプ４１からの情報の読み取り及びその磁気ストライプ４１への情報の書き込みを行うリードライト部等を有している。
【００４３】
通信部１４は、ネットワーク１を介してホストコンピュータ３０との間で情報通信を行うためのものである。
一方、ＡＴＭ２０は、キャッシュカード４０を用いて引き出し、預け入れ、振り込み等の処理を行うためのものであり、制御部２１、操作部２２、カード処理部２３、通帳処理部２４、紙幣処理部２５、通信部２６等を備えている。
【００４４】
制御部２１は、ＣＰＵ、ＲＯＭ、ＲＡＭ等から構成されており、本ＡＴＭ２０を統括制御する。なお、制御部２１のＲＯＭには、後述するカード認証処理（図４）のプログラムが記憶されている。
【００４５】
操作部２２は、本ＡＴＭ２０においてユーザインターフェイスとして機能するものであり、使用者からの外部操作による指令を制御部２１に入力するための入力装置及び制御部２１から出力される情報を表示するための表示装置として機能するタッチパネル式表示部（ディスプレイ）を有している。
【００４６】
カード処理部２３は、キャッシュカード４０に対する処理を行うためのものであり、キャッシュカード４０が挿入されるカード挿入部や、カード挿入部に挿入されたキャッシュカード４０の磁気ストライプ４１からの情報の読み取り及びその磁気ストライプ４１への情報の書き込みを行うリードライト部等を有している。
【００４７】
通帳処理部２４は、通帳に対する処理を行うためのものであり、通帳が挿入される通帳挿入部や、通帳挿入部に挿入された通帳からの情報の読み取り及び通帳への情報の書き込みを行う通帳記入部等を有している。
【００４８】
紙幣処理部２５は、紙幣の入金処理及び出金処理を行うためのものである。
通信部２６は、ネットワークを介してホストコンピュータ３０との間で情報通信を行うためのものである。
【００４９】
一方、ホストコンピュータ３０は、制御部３１、通信部３２、記憶部３３等を備えている。
制御部３１は、ＣＰＵ、ＲＯＭ、ＲＡＭ等から構成されており、本ホストコンピュータ３０を統括制御する。なお、制御部３１のＲＯＭには、後述する認証情報管理処理（図５）のプログラムが記憶されている。
【００５０】
通信部３２は、ネットワークを介して端末装置（カード情報記録装置１０やＡＴＭ２０等）との間で情報通信を行うためのものである。
記憶部３３は、預金者ごとの各種情報（口座番号、預金残高、後述する識別用情報等）を記憶するためのものである。
【００５１】
［２．処理の内容］
次に、本ＡＴＭ通信システムにおいて実行される処理の内容について説明する。
まず、カード情報記録装置１０の制御部１１が実行する情報書込処理について、図３のフローチャートを用いて説明する。なお、この情報書込処理は、キャッシュカード４０への認証情報の書き込みを行うための所定の操作（キャッシュカード４０を挿入した状態での所定のキー操作等）が行われることにより開始される。
【００５２】
この情報書込処理が開始されると、まず、Ｓ１０１で、キャッシュカード４０の磁気ストライプ４１における予備領域に任意の情報を書き込む処理を行う。具体的には、例えば、一定ビット数（例えば８ビット）の値をランダムに決定して書き込む処理を行う。なお、ここで書き込む情報は、ランダムに決定したものに限ったものではなく、例えば、キャッシュカード４０ごとに固有の情報を書き込むようにしてもよい。
【００５３】
続いて、Ｓ１０２では、キャッシュカード４０の磁気ストライプ４１における予備領域に記録されている情報を読み取る処理を行う。つまり、Ｓ１０１で書き込みを試みた情報を読み取るのである。
【００５４】
続いて、Ｓ１０３では、Ｓ１０２で読み取った情報をこのキャッシュカード４０についての認証情報として登録する処理を、ホストコンピュータ３０に要求する。具体的には、Ｓ１０２で読み取った情報と、このキャッシュカード４０を識別可能な情報と、認証情報の登録を要求する旨の情報とを、ホストコンピュータ３０へ送信する処理を行う。その後、本情報書込処理を終了する。なお、キャッシュカード４０を識別可能な情報としては、キャッシュカード４０の磁気ストライプ４１におけるカード情報書込領域に記録されているカード情報（口座番号等）や、カード情報記録装置１０に入力された情報（識別番号等）などが挙げられる。
【００５５】
次に、ＡＴＭ２０の制御部２１が実行するカード認証処理について、図４のフローチャートを用いて説明する。なお、このカード認証処理は、キャッシュカード４０が挿入されることにより開始される。
【００５６】
このカード認証処理が開始されると、まず、Ｓ２０１で、キャッシュカード４０の磁気ストライプ４１における予備領域に記録されている情報を読み取る処理を行う。
続いて、Ｓ２０２では、Ｓ２０１で読み取った情報が、このキャッシュカード４０について登録されている認証情報と一致するか否かの照合を行う処理を、ホストコンピュータ３０に要求する。具体的には、Ｓ２０１で読み取った情報と、このキャッシュカード４０を識別可能な情報と、認証情報の照合を要求する旨の情報とを、ホストコンピュータ３０へ送信する処理を行う。なお、キャッシュカード４０を識別可能な情報としては、キャッシュカード４０の磁気ストライプ４１におけるカード情報書込領域に記録されているカード情報（口座番号等）などが挙げられる。
【００５７】
続いて、Ｓ２０３では、Ｓ２０１で読み取った認証情報が、登録されている認証情報と一致するか否かを判定する。具体的には、Ｓ２０２での要求に対しホストコンピュータ３０から送信されてくる情報（判定結果）を受信し、情報が一致する旨の判定結果であれば、認証情報が一致すると判定し、情報が一致しない旨の判定結果であれば、認証情報が一致しないと判定する。
【００５８】
そして、Ｓ２０３で、認証情報が一致しないと判定した場合には、Ｓ２０４へ移行し、キャッシュカード４０が正常でない場合に行う処理である異常処理を行う。具体的には、キャッシュカード４０が正常でない旨のメッセージを表示する処理を行うとともに、キャッシュカード４０を排出する処理を行う。その後、本カード認証処理を終了する。
【００５９】
一方、Ｓ２０３で、認証情報が一致すると判定した場合には、Ｓ２０５へ移行し、上述した情報書込処理（図３）のＳ１０１と同様、キャッシュカード４０の磁気ストライプ４１における予備領域に任意の情報を書き込む処理を行う。つまり、認証情報を書き換える処理を行うのである。
【００６０】
続いて、Ｓ２０６では、キャッシュカード４０の磁気ストライプ４１における予備領域に記録されている情報を読み取る処理を行う。つまり、Ｓ２０５で書き込みを試みた情報を読み取るのである。
【００６１】
続いて、Ｓ２０７では、Ｓ２０５で書き込みを試みた情報とＳ２０６で読み取った情報とが一致するか否かを判定する。つまり、書き込みを試みた情報と読み取った情報とが一致しなければ予備領域に書込不能部４１ａが形成されていると判定し、書き込みを試みた情報と読み取った情報とが一致すれば予備領域に書込不能部４１ａが形成されていないと判定するのである。
【００６２】
そして、Ｓ２０７で、書き込みを試みた情報と読み取った情報とが一致する（書込不能部４１ａが形成されていない）と判定した場合には、Ｓ２０４へ移行し、上述したように異常処理を行った後、本カード認証処理を終了する。
【００６３】
一方、Ｓ２０７で、書き込みを試みた情報と読み取った情報とが一致しない（書込不能部４１ａが形成されている）と判定した場合には、Ｓ２０８へ移行し、Ｓ２０６で読み取った情報をこのキャッシュカード４０についての新たな認証情報として更新する処理を、ホストコンピュータ３０に要求する。具体的には、Ｓ２０６で読み取った情報と、このキャッシュカード４０を識別可能な情報と、認証情報の更新を要求する旨の情報とを、ホストコンピュータ３０へ送信する処理を行う。なお、キャッシュカード４０を識別可能な情報としては、キャッシュカード４０の磁気ストライプ４１におけるカード情報書込領域に記録されているカード情報（口座番号等）などが挙げられる。
【００６４】
続いて、Ｓ２０９では、キャッシュカード４０が正常に認証された場合の処理（入出金処理等の周知の処理）を行う。その後、本カード認証処理を終了する。
次に、ホストコンピュータ３０の制御部３１が実行する認証情報管理処理について、図５のフローチャートを用いて説明する。
【００６５】
この認証情報管理処理が開始されると、まず、Ｓ３０１で、認証情報の登録を要求する旨の情報が受信されたか否かを判定する。なお、認証情報の登録を要求する旨の情報は、上記情報書込処理（図３）におけるＳ１０３で、キャッシュカード４０の磁気ストライプ４１における予備領域から読み取られた情報、及び、このキャッシュカード４０を識別可能な情報とともに送信される。
【００６６】
そして、Ｓ３０１で、認証情報の登録を要求する旨の情報が受信されたと判定した場合には、Ｓ３０２へ移行し、認証情報の登録を要求する旨の情報とともに受信した、予備領域から読み取られた情報を、認証情報として記憶部３３に記憶させる。具体的には、認証情報の登録を要求する旨の情報とともに受信した、キャッシュカード４０を識別可能な情報と対応させて記憶部３３に記憶させる。その後、Ｓ３０３へ移行する。
【００６７】
一方、Ｓ３０１で、認証情報の登録を要求する旨の情報が受信されていないと判定した場合には、そのままＳ３０３へ移行する。
Ｓ３０３では、認証情報の更新を要求する旨の情報が受信されたか否かを判定する。なお、認証情報の更新を要求する旨の情報は、上記カード認証処理におけるＳ２０８で、キャッシュカード４０の磁気ストライプ４１における予備領域から読み取られた情報、及び、このキャッシュカード４０を識別可能な情報とともに送信される。
【００６８】
そして、Ｓ３０３で、認証情報の更新を要求する旨の情報が受信されたと判定した場合には、Ｓ３０４へ移行し、認証情報の更新を要求する旨の情報とともに受信した、予備領域から読み取られた情報を、認証情報として記憶部３３に記憶させる。具体的には、認証情報の更新を要求する旨の情報とともに受信した、キャッシュカード４０を識別可能な情報と対応させて記憶部３３に記憶させる。その後、Ｓ３０５へ移行する。
【００６９】
一方、Ｓ３０１で、認証情報の更新を要求する旨の情報が受信されていないと判定した場合には、そのままＳ３０５へ移行する。
Ｓ３０５では、認証情報の照合を要求する旨の情報が受信されたか否かを判定する。なお、認証情報の照合を要求する旨の情報は、上記カード認証処理におけるＳ２０２で、キャッシュカード４０の磁気ストライプ４１における予備領域から読み取られた情報、及び、このキャッシュカード４０を識別可能な情報とともに送信される。
【００７０】
そして、Ｓ３０５で、認証情報の照合を要求する旨の情報が受信されていないと判定した場合には、Ｓ３０１へ移行する。つまり、Ｓ３０１，Ｓ３０３，Ｓ３０５の判定処理が繰り返し行われる。
【００７１】
一方、Ｓ３０５で、認証情報の照合を要求する旨の情報が受信されたと判定した場合には、Ｓ３０６へ移行し、認証情報の照合を要求する旨の情報とともに受信した、予備領域から読み取られた情報と、認証情報の照合を要求する旨の情報とともに受信した、キャッシュカード４０を識別可能な情報と対応させて記憶部３３に記憶されている認証情報とが、一致するか否かを判定する。
【００７２】
そして、Ｓ３０６で、予備領域から読み取られた情報と記憶部３３に記憶されている認証情報とが一致すると判定した場合には、Ｓ３０７へ移行し、読み取られた情報と認証情報とが一致する旨の情報をＡＴＭ２０へ送信する。その後、Ｓ３０１へ戻る。
【００７３】
一方、Ｓ３０６で、予備領域から読み取られた情報と記憶部３３に記憶されている認証情報とが一致しないと判定した場合には、Ｓ３０８へ移行し、読み取られた情報と認証情報とが一致しない旨の情報をＡＴＭ２０へ送信する。その後、Ｓ３０１へ戻る。
【００７４】
［３．実施形態の効果］
以上説明したように、本実施形態のＡＴＭ通信システムは、磁気ストライプ４１における予備領域内に書込不能部４１ａが部分的に形成されたキャッシュカード４０についての認証を行うものであり、キャッシュカード４０の磁気ストライプ４１に記録されている情報の読み取り処理及び磁気ストライプ４１への情報の書き込み処理を行うカード処理部２３等を有したＡＴＭ２０と、キャッシュカード４０の認証に用いる認証情報を記憶する記憶部３３等を有したホストコンピュータ３０とを備えている。
【００７５】
そして、本ＡＴＭ通信システムでは、キャッシュカード４０の磁気ストライプ４１における予備領域に記録されている情報の読み取り処理をＡＴＭ２０のカード処理部２３で行い（Ｓ２０１）、その読み取り処理により読み取られた情報が正常であるか否かをホストコンピュータ３０の記憶部３３に記憶されている認証情報に基づき判定する（Ｓ２０２，Ｓ２０３，Ｓ３０５〜Ｓ３０８）。具体的には、読み取られた情報が、記憶部３３に記憶されている認証情報と一致する場合に、正常であると判定する。
【００７６】
さらに、本ＡＴＭ通信システムでは、ＡＴＭ２０のカード処理部２３において、キャッシュカード４０の磁気ストライプ４１における予備領域への情報の書き込み処理を行った後（Ｓ２０５）、予備領域に記録されている情報の読み取り処理を行い（Ｓ２０６）、書き込みを試みた情報と読み取られた情報とが一致するか否かを判定する（Ｓ２０７）。換言すれば、磁気ストライプ４１に書込不能部４１ａが形成されているか否かの判定を行っている。すなわち、磁気ストライプ４１に書込不能部４１ａが形成されていない場合、書き込みを試みた情報と読み取られた情報とは当然に一致するが、磁気ストライプ４１に書込不能部４１ａが形成されている場合、書込不能部４１ａには情報が書き込まれないため、情報の一部が書き込まれないこととなり、書き込みを試みた情報と読み取られた情報とが一致しないという現象が生じる。このため、書き込みを試みた情報と読み取られた情報とが一致する場合には、磁気ストライプ４１に書込不能部４１ａが形成されていない可能性が高いと判定できるのである。
【００７７】
そして、本ＡＴＭ通信システムでは、記録されていた情報が正常であると判定され（Ｓ２０３：ＹＥＳ）、かつ、書き込みを試みた情報と読み取られた情報とが一致しないと判定された場合に（Ｓ２０７：ＮＯ）、キャッシュカード４０が真正なものであると認証する（Ｓ２０９）。つまり、記録されている情報が正常であり、かつ、磁気ストライプ４１に書込不能部４１ａが形成されていれば、キャッシュカード４０が真正なものであると認証するのである。
【００７８】
このような構成のＡＴＭ通信システムによれば、従来のＡＴＭ通信システムのハードウェア構成に大きな変更を加えることなく、セキュリティレベルを極めて向上させることができる。すなわち、従来のキャッシュカード（書込不能部４１ａが形成されていないキャッシュカード４０）を用いたＡＴＭ通信システムでは、真正なキャッシュカード４０の磁気ストライプ４１に記録された情報を読み取り、その読み取った情報を別のキャッシュカード４０の磁気ストライプ４１に書き込むことによって、真正なキャッシュカード４０と同じ情報を有する偽造キャッシュカードを生成して使用することが可能であった。これに対し、本実施形態のＡＴＭ通信システムでは、上述のように、磁気ストライプ４１に書込不能部４１ａが形成されたキャッシュカード４０を用いなければ真正なものであると認証されない。ここで、磁気ストライプ４１に書込不能部４１ａが形成されている場合、書込不能部４１ａには情報が書き込まれないことから、情報の一部が書き込まれないこととなり、書き込みを試みた情報と読み取られた情報とが一致しないという現象が生じる。このため、仮に、真正なキャッシュカード４０の磁気ストライプ４１に記録された情報を読み取り、その読み取った情報を別のキャッシュカード（書込不能部が形成されたキャッシュカード）の磁気ストライプに書き込んだとしても、そのキャッシュカードから読み取られる情報は真正なキャッシュカード４０から読み取られる情報とは異なるものとなる。したがって、真正なキャッシュカード４０と同じ情報を有する偽造キャッシュカードを生成することは極めて困難となる。
【００７９】
なお、真正なキャッシュカード４０と全く同じ書込不能部４１ａを形成し、真正なキャッシュカード４０と全く同じ状態となるように磁気ストライプ４１に情報を記録すれば、真正なキャッシュカード４０と同じ情報を有する偽造キャッシュカードを生成することが理論的には可能である。ただし、書込不能部４１ａを全く同じ形状に偽造することが困難であることに加え、磁気ストライプ４１への情報の書き込み位置（書き込み開始位置）にはずれが生じることが通常であることから、実際には非常に困難となる。すなわち、磁気ストライプ４１への情報の書き込みには何らかの装置を用いるが、装置ごとに個体差があることはもちろん、同一の装置を用いたとしてもキャッシュカード４０を搬送するローラの摩耗状態や環境条件（温度や湿度）等によって書き込み条件が微妙に変化することから、書き込み位置を精密に一致させることは極めて困難となるのである。したがって、真正なキャッシュカード４０と同じ情報を有する偽造キャッシュカードの生成を極めて困難なものとすることができる。
【００８０】
また、この構成によれば、磁気ストライプ４１における予備領域以外の領域に、認証以外に用いる口座番号等の情報を記録しておくことができる。
さらに、本ＡＴＭ通信システムでは、磁気ストライプ４１の長手方向と直交する１又は複数の帯状にバーコード状に書込不能部４１ａが形成されているため、バーコードパターン自体によって（磁気による記録とは別に）情報を記録することも可能となる。
【００８１】
［４．特許請求の範囲との対応］
なお、本実施形態のＡＴＭ通信システムでは、キャッシュカード４０が、本発明のカードに相当し、磁気ストライプ４１が、本発明の磁気記録部に相当し、ＡＴＭ２０のカード処理部２３が、本発明の磁気情報読書手段に相当し、ホストコンピュータ３０の記憶部３３が、本発明の記憶手段に相当する。また、カード認証処理（図４）のＳ２０１〜Ｓ２０３と、認証情報管理処理（図５）のＳ３０５〜Ｓ３０８とが、本発明の記録情報判定手段に相当し、カード認証処理（図４）のＳ２０５〜Ｓ２０７が、本発明の書込情報判定手段に相当する。
【００８２】
［５．他の形態］
以上、本発明の一実施形態について説明したが、本発明は、種々の形態を採り得ることは言うまでもない。
【００８３】
例えば、上記実施形態のＡＴＭ通信システムでは、磁気ストライプ４１において磁気層が除去された状態の部分を設けることにより書込不能部４１ａを形成しているが、これに限ったものではなく、情報の書き込みを不能とする処理（例えば、情報の書き込みを不能とする材料をコーティングする処理）を磁気層に施すことにより書込不能部４１ａを形成してもよい。この場合、書込不能部４１ａにあらかじめ情報を記録しておき、その情報の読み取りを可能とし、書き換えを不能とするように構成してもよい。
【００８４】
また、上記実施形態のＡＴＭ通信システムでは、キャッシュカード４０の磁気ストライプ４１における予備領域に書き込みを試みた情報と、予備領域から読み取った情報とが一致すれば、予備領域に書込不能部４１ａが形成されていないと判定するようにしているが（Ｓ２０５〜Ｓ２０７）、書込不能部４１ａが形成されているにもかかわらず書き込みを試みた情報と読み取った情報とが偶然に一致することも考えられる。そこで、複数回判定を行うようにしてもよい。具体的には、カード認証処理（図４）のＳ２０７で、書き込みを試みた情報と読み取った情報とが一致すると判定した場合に、再度Ｓ２０５へ戻り、キャッシュカード４０の磁気ストライプ４１における予備領域に任意の情報（前回書き込みを試みた情報とは異なる情報）を書き込む処理を行う。そして、Ｓ２０６で、キャッシュカード４０の磁気ストライプ４１における予備領域に記録されている情報を読み取る処理を行い、Ｓ２０７で、Ｓ２０５で書き込みを試みた情報とＳ２０６で読み取った情報とが一致するか否かを判定する。それでもなお、書き込みを試みた情報と読み取った情報とが一致すると判定した場合には、Ｓ２０４へ移行し、異常処理を行うようにする。このようにすれば、書込不能部４１ａが形成されているにもかかわらず真正なキャッシュカード４０であると認証されないという不具合を防止することができる。
【００８５】
さらに、上記実施形態のＡＴＭ通信システムでは、書込不能部４１ａが肉眼で認識可能な程度に大きく形成された構成を例示しているが（図２）、これに限ったものではなく、肉眼で認識できないようにしてもよい。例えば、肉眼で認識できない程度の細い幅で書込不能部を形成したり、磁気層と見分けがつかない非磁性体材料により書込不能部を形成したり、磁気ストライプ４１に非透過性のコーティング処理を施したりする等の手法で実現することができる。このようにすれば、セキュリティレベルを一層向上させることができる。
【００８６】
一方、上記実施形態では、キャッシュカードの認証を例に挙げて説明したが、本発明は、キャッシュカード以外のカード（例えばクレジットカードやプリペイドカード）にも適用することができることはいうまでもない。
【図面の簡単な説明】
【００８７】
【図１】実施形態のＡＴＭ通信システムの概略構成を表すブロック図である。
【図２】実施形態のＡＴＭ通信システムに用いられるキャッシュカードの外観図である。
【図３】情報書込処理のフローチャートである。
【図４】カード認証処理のフローチャートである。
【図５】認証情報管理処理のフローチャートである。
【符号の説明】
【００８８】
１…ネットワーク、１０…カード情報記録装置、１１…制御部、１２…操作部、１３…カード処理部、１４…通信部、２０…ＡＴＭ、２１…制御部、２２…操作部、２３…カード処理部、２４…通帳処理部、２５…紙幣処理部、２６…通信部、３０…ホストコンピュータ、３１…制御部、３２…通信部、３３…記憶部、４０…キャッシュカード、４１…磁気ストライプ、４１ａ…書込不能部
【図１】
2006285869.tif 000003
【図２】
2006285869.tif 000004
【図３】
2006285869.tif 000005
【図４】
2006285869.tif 000006
【図５】
2006285869.tif 000007